(57)【特許請求の範囲】
【請求項１】
トランスコーディング要請デバイスが、中継デバイスに異種ネットワークを介して連結された複数個のデバイスのトランスコーディング機能関連情報及び前記中継デバイスのデバイス推薦情報を、前記中継デバイスを介して獲得する段階と、
前記トランスコーディング機能関連情報及び前記中継デバイスのデバイス推薦情報に基づき、前記トランスコーディング要請デバイスが、前記複数個のデバイスのうち、トランスコーディング機能を遂行可能な少なくとも１つのデバイスを決定する段階と、
前記トランスコーディング機能を遂行可能な少なくとも１つのデバイスが決定されれば、前記トランスコーディング要請デバイスが、前記少なくとも１つのデバイスのトランスコーディング機能を制御する選択メニューを前記トランスコーディング要請デバイスのディスプレイ部に新たに表示する段階と、
前記少なくとも１つのデバイスにおいて前記トランスコーディング機能に基づきコンテンツが処理されるよう、前記トランスコーディング要請デバイスが、前記中継デバイスを介して前記少なくとも１つのデバイスに前記コンテンツを伝送する段階と、
前記トランスコーディング機能に基づき前記少なくとも１つのデバイスによって処理されたコンテンツを、前記トランスコーディング要請デバイスが、前記中継デバイスを介して受信する段階と、
を含むことを特徴とするデバイス間トランスコーディング機能共有方法。
【請求項２】
前記少なくとも１つのデバイスで遂行されるトランスコーディング機能は、前記トランスコーディング要請デバイスが直接遂行できないトランスコーディング機能であることを特徴とする請求項１に記載のデバイス間トランスコーディング機能共有方法。
【請求項３】
前記トランスコーディング要請デバイスと前記中継デバイスとを連結する第１ネットワークと、前記中継デバイスとトランスコーディングを遂行する前記少なくとも１つのデバイスとを連結する第２ネットワークとは、相異なるネットワークであることを特徴とする請求項１に記載のデバイス間トランスコーディング機能共有方法。
【請求項４】
中継デバイスに異種ネットワークを介して連結された複数個のデバイスのうちの１つであるトランスコーディングデバイスが、自身で遂行可能なトランスコーディング機能関連情報を、前記中継デバイスを介してトランスコーディング要請デバイスに伝送する段階と、
前記トランスコーディングデバイスが、前記中継デバイスを介して前記トランスコーディング要請デバイスからトランスコーディング要請及びコンテンツを受信する段階と、
前記トランスコーディングデバイスが、トランスコーディング機能を遂行して前記コンテンツをトランスコーディングする段階と、
前記トランスコーディングデバイスが、トランスコーディングされたコンテンツを、前記中継デバイスを介して前記トランスコーディング要請デバイスに伝送する段階と、
を含み、
前記トランスコーディング要請は、少なくとも１つのトランスコーディングデバイスのトランスコーディング機能を制御する選択メニューを表示する前記トランスコーディング要請デバイスのユーザインターフェースに対するユーザ入力を用いて前記トランスコーディング要請デバイスによって生成され、
前記選択メニューは、前記トランスコーディング要請デバイスによって前記中継デバイスから受信した前記複数個のデバイスのトランスコーディング機能関連情報及び前記中継デバイスのデバイス推薦情報に基づきトランスコーディングデバイスが決定されれば、前記トランスコーディング要請デバイスのユーザインターフェースに新たに表示され、
前記中継デバイスのデバイス推薦情報は、前記複数個のデバイスのうち、トランスコーディング機能を遂行するデバイスを示すことを特徴とするデバイス間トランスコーディング機能共有方法。
【請求項５】
中継デバイスが、該中継デバイスに異種ネットワークを介して連結された複数個のデバイスから受信したトランスコーディング機能関連情報をトランスコーディング要請デバイスに伝送する段階と、
前記中継デバイスが、前記トランスコーディング要請デバイスから受信したトランスコーディング要請及びコンテンツを前記複数個のデバイスのうちの少なくとも１つのトランスコーディングデバイスに伝送する段階と、
前記中継デバイスが、前記少なくとも１つのトランスコーディングデバイスから受信したトランスコーディングされたコンテンツを前記トランスコーディング要請デバイスに伝送する段階と、
を含み、
前記トランスコーディング要請は、少なくとも１つのトランスコーディングデバイスのトランスコーディング機能を制御する選択メニューを表示する前記トランスコーディング要請デバイスのユーザインターフェースに対するユーザ入力を用いて前記トランスコーディング要請デバイスによって生成され、
前記選択メニューは、前記トランスコーディング要請デバイスによって前記中継デバイスから受信した前記複数個のデバイスのトランスコーディング機能関連情報及び前記中継デバイスのデバイス推薦情報に基づきトランスコーディングデバイスが決定されれば、前記トランスコーディング要請デバイスのユーザインターフェースに新たに表示され、
前記中継デバイスのデバイス推薦情報は、前記複数個のデバイスのうち、トランスコーディング機能を遂行するデバイスを示すことを特徴とするデバイス間トランスコーディング機能共有方法。
【請求項６】
中継デバイスに異種ネットワークを介して連結された複数個のデバイスのトランスコーディング機能関連情報及び前記中継デバイスのデバイス推薦情報を、前記中継デバイスを介して獲得する外部デバイス感知制御部と、
前記トランスコーディング機能関連情報及び前記中継デバイスのデバイス推薦情報に基づき、前記複数個のデバイスのうち、トランスコーディング機能を遂行可能な少なくとも１つのデバイスを決定する外部デバイス機能活用制御部と、
を含み、
前記外部デバイス機能活用制御部は、前記トランスコーディング機能を遂行可能な少なくとも１つのデバイスが決定されれば、前記少なくとも１つのデバイスのトランスコーディング機能を制御する選択メニューを前記トランスコーディング要請デバイスのディスプレイ部に新たに表示し、前記少なくとも１つのデバイスにおいて前記トランスコーディング機能に基づきコンテンツが処理されるよう、前記中継デバイスを介して前記少なくとも１つのデバイスに前記コンテンツを伝送し、前記トランスコーディング機能に基づき前記少なくとも１つのデバイスによって処理されたコンテンツを、前記中継デバイスを介して受信することを特徴とするトランスコーディング要請デバイス。
【請求項７】
中継デバイスに異種ネットワークを介して連結された複数個のデバイスのうちの１つであるトランスコーディングデバイスであって、
前記中継デバイスを介してトランスコーディング要請デバイスからトランスコーディング要請及びコンテンツを受信し、トランスコーディング機能を遂行して前記コンテンツをトランスコーディングし、トランスコーディングされたコンテンツを、前記中継デバイスを介して前記トランスコーディング要請デバイスに伝送する外部デバイス機能活用要請処理部を含み、
前記トランスコーディングデバイスは、前記トランスコーディングデバイスが遂行可能なトランスコーディング機能関連情報を、前記中継デバイスを介して前記トランスコーディング要請デバイスに伝送し、
前記トランスコーディング要請は、少なくとも１つのトランスコーディングデバイスのトランスコーディング機能を制御する選択メニューを表示する前記トランスコーディング要請デバイスのユーザインターフェースに対するユーザ入力を用いて前記トランスコーディング要請デバイスによって生成され、
前記選択メニューは、前記トランスコーディング要請デバイスによって前記中継デバイスから受信した前記複数個のデバイスのトランスコーディング機能関連情報及び前記中継デバイスのデバイス推薦情報に基づきトランスコーディングデバイスが決定されれば、前記トランスコーディング要請デバイスのユーザインターフェースに新たに表示され、
前記中継デバイスのデバイス推薦情報は、前記複数個のデバイスのうち、トランスコーディング機能を遂行するデバイスを示すことを特徴とするトランスコーディングデバイス。
【請求項８】
中継デバイスであって、
異種ネットワークのそれぞれのネットワーク網ごとに少なくとも１つのデバイスと連結され、デバイスに連結された複数個のネットワーク網を構築するように制御する複数ネットワーク網構築制御部と、
複数個のデバイスから受信したトランスコーディング機能関連情報をトランスコーディング要請デバイスに伝送し、前記トランスコーディング要請デバイスから受信したトランスコーディング要請及びコンテンツを前記複数個のデバイスのうちの少なくとも１つのトランスコーディングデバイスに伝送し、前記少なくとも１つのトランスコーディングデバイスから受信したトランスコーディングされたコンテンツを前記トランスコーディング要請デバイスに伝送するデバイス機能共有中継部と、
を含み、
前記トランスコーディング要請は、少なくとも１つのトランスコーディングデバイスのトランスコーディング機能を制御する選択メニューを表示する前記トランスコーディング要請デバイスのユーザインターフェースに対するユーザ入力を用いて前記トランスコーディング要請デバイスによって生成され、
前記選択メニューは、前記トランスコーディング要請デバイスによって前記中継デバイスから受信した前記複数個のデバイスのトランスコーディング機能関連情報及び前記中継デバイスのデバイス推薦情報に基づきトランスコーディングデバイスが決定されれば、前記トランスコーディング要請デバイスのユーザインターフェースに新たに表示され、
前記中継デバイスのデバイス推薦情報は、前記複数個のデバイスのうち、トランスコーディング機能を遂行するデバイスを示すことを特徴とする中継デバイス。
【請求項９】
請求項１に記載のデバイス間トランスコーディング機能共有方法を具現するためのプログラムが記録されたコンピュータで読み取り可能な記録媒体。
【請求項１０】
請求項４に記載のデバイス間トランスコーディング機能共有方法を具現するためのプログラムが記録されたコンピュータで読み取り可能な記録媒体。
【請求項１１】
請求項５に記載のデバイス間トランスコーディング機能共有方法を具現するためのプログラムが記録されたコンピュータで読み取り可能な記録媒体。
【発明の詳細な説明】
【技術分野】
【０００１】
本発明は、複合ネットワーク網を介したデバイス間の通信に関する。
【背景技術】
【０００２】
最近、電子機器は、ネットワークを介した通信機能を具備している。多様なネットワーク方式を利用した通信が可能なデバイスがある一方、制限されたネットワーク方式のみ可能なデバイスもある。多様なネットワーク方式の性能が向上しているが、異種ネットワークを経た通信は、依然として不便である。
【０００３】
電子機器の小型化及びネットワーク技術の発達によって、電子機器の携帯化が広くなされているが、携帯用電子機器に全ての機能を搭載することは現実的に困難であるので、携帯用電子機器には、使用目的に符合する代表的な機能だけ搭載されるのが一般的である。
【０００４】
異種ネットワークを介した無線機器間のデータ通信方式は、特許文献１に記載されている。
【先行技術文献】
【特許文献】
【０００５】
【特許文献１】韓国公開特許第２００４−００６４５８７号公報
【発明の概要】
【発明が解決しようとする課題】
【０００６】
本発明は、ネットワーク網を介したデバイス間の機能共有をなすところに目的がある。
【課題を解決するための手段】
【０００７】
本発明の一実施形態による複数個のネットワーク網を介したデバイス機能共有方法は、複数個のネットワーク網を経て複数個のデバイスと連結された第１デバイスを介して、前記複数個のデバイスのうち第２デバイスが、前記複数個のデバイスのうち少なくとも１つのデバイスを感知する段階と、前記第１デバイスを介して、前記第２デバイスと、前記感知された少なくとも１つのデバイスのうち第３デバイスとを連動させる段階と、前記第１デバイスを介して、前記第２デバイスが、前記第３デバイスの機能を活用する段階とを含む。
【０００８】
一実施形態によって前記第２デバイスによって感知された少なくとも１つのデバイスのうちそれぞれのデバイスは、前記複数個のネットワーク網のうち、前記第１デバイス及び前記第２デバイスが属した第１ネットワーク網以外のネットワーク網を介して、前記第１デバイスと連結されうる。
【０００９】
一実施形態によって、前記第２デバイスが活用する前記第３デバイスの機能は、前記第２デバイスが直接遂行できない機能であることが望ましい。
【００１０】
一実施形態によるデバイス機能共有方法の前記第３デバイス機能活用段階は、前記第２デバイスのディスプレイ部にユーザ入力のための選択メニューを図示する段階と、前記選択メニューのうち既存機能のための選択メニュー以外に、前記第３デバイスの機能を選択するための新しい選択メニューをさらに図示する段階とを含むことができる。
【００１１】
一実施形態による前記複数個のネットワーク網は、近距離ネットワーク網及び長距離ネットワーク網を含むことができる。
【００１２】
一実施形態によって、前記第１デバイスを介して、前記第２デバイス及び前記第３デバイスのデータ交換がなされうる。
【００１３】
一実施形態によるデバイス機能共有方法の前記感知段階は、前記第２デバイスが、前記第１デバイスを介して、前記第１デバイスと連結された複数個のデバイスのうち、前記第２デバイスが必要とする機能を遂行することができる少なくとも１つのデバイスを検索する段階と、前記第２デバイスが、前記検索された少なくとも１つのデバイスのうち連動する第３デバイスを選択する段階とを含むことができる。
【００１４】
一実施形態によるデバイス機能共有方法の前記感知段階は、前記第１デバイスが、前記第１デバイスと連結された複数個のデバイスのうち、前記第２デバイスが必要とする機能を遂行することができる少なくとも１つのデバイスを検索する段階と、前記第２デバイスが、前記検索された少なくとも１つのデバイスのうち連動する第３デバイスを選択する段階とを含むことができる。
【００１５】
一実施形態によるデバイス機能共有方法の前記選択段階は、前記第１デバイスが、前記検索された少なくとも１つのデバイスを前記第２デバイスに推薦する段階と、前記第２デバイスが、前記推薦された少なくとも１つのデバイスのうち連動する第３デバイスを選択する段階とを含むことができる。
【００１６】
一実施形態によるデバイス機能共有方法の前記感知段階は、前記第１デバイスは、前記連結した複数個のデバイスのうちそれぞれが遂行可能な機能についての情報を具備できる。
【００１７】
一実施形態によるデバイス機能共有方法の前記感知段階は、前記第３デバイスに遂行可能な機能についての情報を要請する段階と、前記第３デバイスの応答によって、前記第３デバイスの機能の活用いかんを決定する段階とを含むことができる。
【００１８】
本発明の一実施形態による複数個のネットワーク網を介したデバイス機能共有方法は、複数個のネットワーク網を経て複数個のデバイスと連結された第１デバイスを介して、少なくとも１つのデバイスを感知した第２デバイスから、前記少なくとも１つのデバイスのうち第３デバイスが連動要請を受信する段階と、前記第１デバイスを介して、前記第２デバイスと前記第３デバイスとが連動する段階と、前記第１デバイスを介して、前記第２デバイスから受信された前記第３デバイスの所定機能の活用要請によって、前記所定機能を遂行する段階とを含む。
【００１９】
一実施形態による前記第２デバイスは、前記第１デバイスと連結された複数個のデバイスのうち、前記第２デバイスが必要とする機能を遂行することができる少なくとも１つのデバイスを検索し、前記検索された少なくとも１つのデバイスのうち、前記第３デバイスを選択して連動要請できる。
【００２０】
一実施形態による前記第１デバイスが、前記第１デバイスと連結された複数個のデバイスのうち、前記第２デバイスが必要とする機能を遂行することができる少なくとも１つのデバイスを検索し、前記第２デバイスは、前記検索された少なくとも１つのデバイスのうち、前記第３デバイスを選択して連動要請できる。
【００２１】
一実施形態による第３デバイスは、前記第１デバイスまたは第２デバイスに対して、前記第３デバイスの遂行可能な機能についての情報を提供できる。
【００２２】
本発明の一実施形態による複数個のネットワーク網を介したデバイス機能共有方法は、それぞれのネットワーク網ごとに少なくとも１つのデバイスと第１デバイスとが連結され、複数個のデバイスと連結された前記第１デバイスの複数個のネットワーク網を構築する段階と、前記第１デバイスを介して、前記複数個のデバイスのうち第２デバイスが、前記複数個のデバイスのうち少なくとも１つのデバイスを感知し、前記第２デバイスと、前記少なくとも１つのデバイスのうち第３デバイスとが連動し、前記第２デバイスが、前記第３デバイスの機能を活用する過程を中継する段階とを含む。
【００２３】
本発明の一実施形態による複数個のネットワーク網を介して、外部デバイス機能の共有が可能なデバイスは、複数個のネットワーク網を経て、現在のデバイスを含んだ複数個のデバイスと連結された第１デバイスを介して、前記複数個のデバイスのうち、少なくとも１つのデバイスを感知する動作を制御する外部デバイス感知制御部と、前記第１デバイスを介した、前記感知された少なくとも１つのデバイスのうち第３デバイスとの連動を制御する外部デバイス連動制御部と、前記第１デバイスを介して、前記第３デバイスの機能を活用するように制御する外部デバイス機能活用制御部とを含む。
【００２４】
本発明の一実施形態による複数個のネットワーク網を介して、外部デバイス機能の共有が可能なデバイスは、複数個のネットワーク網を経て、現在のデバイスを含んだ複数個のデバイスと連結された第１デバイスを介して、少なくとも１つのデバイスを感知した第２デバイスから連動要請を受信し、前記第２デバイスとの連動を制御するデバイス連動要請処理部と、前記第１デバイスを介して、前記第２デバイスから受信された前記現在デバイスの所定機能の活用要請によって、前記所定機能を遂行するように制御する外部デバイス機能活用要請処理部とを含む。
【００２５】
本発明の一実施形態による複数個のネットワーク網を介して、外部デバイス機能の共有が可能なデバイスは、それぞれのネットワーク網ごとに少なくとも１つのデバイスと現在のデバイスとが連結され、複数個のデバイスと連結された複数個のネットワーク網を構築するように制御する複数ネットワーク網構築制御部と、前記現在のデバイスを介して、前記複数個のデバイスのうち第２デバイスが、前記複数個のデバイスのうち少なくとも１つのデバイスを感知し、前記第２デバイスと、前記少なくとも１つのデバイスのうち第３デバイスとが連動し、前記第２デバイスが、前記第３デバイスの機能を活用する動作を中継するデバイス機能共有中継部とを含む。
【００２６】
本発明は、本発明の一実施形態による複数個のネットワーク網を介したデバイス機能共有方法を具現するためのプログラムが記録されたコンピュータで読み取り可能な記録媒体を含む。
【図面の簡単な説明】
【００２７】
【図１】本発明の一実施形態による複数個のネットワーク網を介して、外部デバイス機能の共有が可能なデバイスのうち、外部デバイスに対して機能共有を要請するデバイスのブロック図である。
【図２】本発明の一実施形態による複数個のネットワーク網を介して、外部デバイス機能の共有が可能なデバイスのうち、デバイス間の共有機能を行うデバイスのブロック図である。
【図３】本発明の一実施形態による複数個のネットワーク網を介して、外部デバイス機能の共有が可能なデバイスのうち、中継デバイスのブロック図である。
【図４】本発明の一実施形態によって、中継デバイスを中心とする複数個のデバイス間に構築された複数個のネットワーク網を図示する図面である。
【図５Ａ】本発明の一実施形態による中継デバイスの動作を図示する図面である。
【図５Ｂ】本発明の一実施形態による中継デバイスの動作を図示する図面である。
【図６Ａ】本発明の一実施形態によるデバイス機能共有の１つの活用例を図示する図面である。
【図６Ｂ】本発明の一実施形態によるデバイス機能共有の１つの活用例を図示する図面である。
【図６Ｃ】本発明の一実施形態によるデバイス機能共有の１つの活用例を図示する図面である。
【図６Ｄ】本発明の一実施形態によるデバイス機能共有の１つの活用例を図示する図面である。
【図７Ａ】本発明の一実施形態によるデバイス機能共有の他の活用例を図示する図面である。
【図７Ｂ】本発明の一実施形態によるデバイス機能共有の他の活用例を図示する図面である。
【図７Ｃ】本発明の一実施形態によるデバイス機能共有の他の活用例を図示する図面である。
【図７Ｄ】本発明の一実施形態によるデバイス機能共有の他の活用例を図示する図面である。
【図８】本発明の一実施形態による複数個のネットワーク網を介したデバイス機能共有方法のうち、外部デバイスに対して機能共有を要請する方法のフローチャートである。
【図９】本発明の一実施形態による複数個のネットワーク網を介したデバイス機能共有方法のうち、デバイス間の共有機能を行う方法のフローチャートである。
【図１０】本発明の一実施形態による本発明の一実施形態による複数個のネットワーク網を介したデバイス機能共有方法のうち、中継方法のフローチャートである。
【発明を実施するための形態】
【００２８】
以下、図１ないし１０を参照しつつ、本発明の一実施形態によって、複数個のネットワーク網にわたった複数個のデバイスのうち、複合ネットワーク網連結が可能なデバイスを介して、デバイス間の機能を共有する方法及びそのデバイスの構造について詳細に説明する。
【００２９】
図１、図２及び図３をそれぞれ参照しつつ、複数個のネットワーク網にわたった複数個のデバイスのうち、外部デバイスに対して機能共有を要請するデバイスの構造、デバイス間の共有機能を行うデバイスの構造、及び複数個のネットワーク網の複数個のデバイスと連結されて中継役割を行うデバイスの構造について詳細に述べる。
以下の説明で、「複数個のネットワーク網の複数個のデバイスと連結されて中継役割を行う中継デバイス」は、第１デバイスのことを指し、「外部デバイスに対して機能共有を要請するデバイス」は、第２デバイスのことを指し、「デバイス間の共有機能を行うデバイス」は、第３デバイスのことを指す。
【００３０】
複数個のネットワーク網は、近距離ネットワーク、長距離ネットワークをいずれも含み、具体的には、ブルートゥース（Bluetooth）方式による無線プロトコル、ワイファイ（Ｗｉ−Ｆｉ）方式による無線通信方式、ワイブロ（ＷｉＢｒｏ）方式による無線広域インターネット方式などを含むことができる。
【００３１】
図１は、本発明の一実施形態による複数個のネットワーク網を介して、外部デバイス機能の共有が可能なデバイスのうち、外部デバイスに対して機能共有を要請するデバイスのブロック図を図示している。
【００３２】
一実施形態による外部デバイスに対して機能共有を要請するデバイス１００は、外部デバイス感知制御部１１０、外部デバイス連動制御部１２０及び外部デバイス機能活用制御部１３０を含む。外部デバイスに対して機能共有を要請するデバイス１００は、前述の複数個のネットワーク網を介して、外部デバイス機能の共有が可能なデバイスを、役割によって区別して称した第１デバイス、第２デバイス及び第３デバイスのうち、第２デバイスに該当する。
【００３３】
外部デバイス感知制御部１１０は、複数個のネットワーク網を経て第２デバイス１００を含んだ複数個のデバイスと連結された第１デバイスを介して、第１デバイスに連結された全てのネットワーク網のデバイスのうち、少なくとも１つのデバイスを感知する。
【００３４】
第２デバイス１００と第１デバイスとが第１ネットワーク網を形成している場合、外部デバイス感知制御部１１０は、第１ネットワーク網ではない他のネットワーク網を形成している他のデバイスも感知できる。すなわち、第１デバイスを介して異種ネットワーク網Ｅ存在する他のデバイスが感知されうる。
【００３５】
第２デバイス１００は、第１デバイスのネットワーク網を介して通信が可能な全てのデバイスを感知できる。
【００３６】
または、第２デバイス１００は、第１デバイスと連結されたデバイスのうち、第２デバイス１００が必要とする機能を行うことができる少なくとも１つのデバイスだけを感知することもできる。第２デバイス１００は、第１デバイスと連結されたデバイスのうち、第２デバイス１００が必要とする機能を行うことができる少なくとも１つのデバイスを検索し、検索された少なくとも１つのデバイスのうち、第２デバイス１００が連動しようとする対象である第３デバイスを選択できる。
【００３７】
または、第２デバイス１００が所定機能を必要とする場合、第１デバイスが、ネットワーク網のデバイスのうち、第２デバイス１００が必要とする機能を行うことができる少なくとも１つのデバイスを検索できる。この場合、第２デバイス１００の外部デバイス感知制御部１１０は、第１デバイスによって検索された少なくとも１つのデバイスのうち、第３デバイスを選択して感知することもできる。
【００３８】
第２デバイス１００は、第１デバイスから第２デバイス１００に、少なくとも１つのデバイスを任意に推薦されうる。外部デバイス感知制御部１１０は、推薦された少なくとも１つのデバイスのうち、連動する第３デバイスを選択的に感知することもできる。
【００３９】
第２デバイス１００が第３デバイスの機能を把握するために、第１デバイスから複数個のデバイスそれぞれの遂行可能な機能についての情報を獲得できる。また、第２デバイス１００は、直接的に第３デバイスに遂行可能な機能についての情報を要請し、第３デバイスの応答によって、第３デバイスの機能の活用いかんを決定することもできる。
【００４０】
外部デバイス連動制御部１２０は、第１デバイスを介して、第２デバイス１００によって感知された少なくとも１つのデバイスのうち、第３デバイスとの連動を制御する。
【００４１】
外部デバイス機能活用制御部１３０は、第１デバイスを介して、第２デバイス１００が第３デバイスの機能を活用するように制御する。
【００４２】
第２デバイス１００が第１デバイスを介して、第３デバイスに連動することによって、第２デバイス１００が直接遂行することができないが、第３デバイスは、遂行することができる機能を遂行することができる。このとき、共有機能を行う主体は第３デバイスであるが、第２デバイス１００がその結果のデータを獲得できる。共有機能が行われることによって生成された結果データなどの各種データは、中継主体である第１デバイスを介して、第２デバイス１００及び第３デバイス間に送受信されうる。
【００４３】
第２デバイス１００は、第３デバイスの機能を実行させるために、ユーザ・インターフェースの構成を変更することもできる。第２デバイス１００は、ディスプレイ部（図示せず）に、ユーザ入力のための選択メニューを図示する。選択メニューのうち既存機能のための選択メニュー以外に、第３デバイスと共有された第３デバイスの機能を選択するための新しい選択メニューが、ディスプレイ部（図示せず）によって図示されうる。
【００４４】
図２は、本発明の一実施形態による複数個のネットワーク網を介して、外部デバイス機能の共有が可能なデバイスのうち、デバイス間の共有機能を行うデバイスのブロック図を図示している。
【００４５】
一実施形態によるデバイス間の共有機能を行うデバイス２００は、デバイス連動要請処理部２１０及び外部デバイス機能活用要請処理部２２０を含む。デバイス間の共有機能を行うデバイス２００は、前述の複数個のネットワーク網を介して、外部デバイス機能の共有が可能なデバイスを、役割によって区別して指した第１デバイス、第２デバイス及び第３デバイスのうち第３デバイスに該当する。
【００４６】
デバイス連動要請処理部２１０は、複数個のネットワーク網を経て第１デバイスと連結された第２デバイスから、連動要請を受信する。第２デバイスは、第１デバイスを介して、複数個のネットワーク網を経て第１デバイスと連結された複数個のデバイスを感知し、第３デバイス２００に対して連動を要請したのである。デバイス連動要請処理部２１０は、第２デバイスからのデバイス連動要請を処理する。
【００４７】
第３デバイス２００が第２デバイスによって直接選択され、連動が要請されもする。また、第３デバイス２００の遂行可能機能を見て、第２デバイスまたは第１デバイスが第３デバイス２００を連動対象として検索できる。
【００４８】
かような第３デバイス２００の遂行可能機能についての情報は、一実施形態による第３デバイスが、第１デバイスまたは第２デバイスに対してあらかじめ提供できる。または、第１デバイスまたは第２デバイスの要請によって、第３デバイス２００が遂行可能機能についての情報を、第１デバイスまたは第２デバイスに提供することもできる。
【００４９】
外部デバイス機能活用要請処理部２２０は、第１デバイスを介して、第２デバイスから受信された第３デバイス２００の所定機能の活用要請によって、第３デバイス２００が所定機能を行うように制御できる。
【００５０】
第３デバイス２００の所定機能の活用要請に相応する所定機能は、第２デバイスが直接遂行できないが、第３デバイス２００は遂行することができる機能でありうる。このとき、第２デバイスによって共有された第３デバイス２００の機能を作動する主体は、第３デバイス２００であるが、外部デバイス機能活用要請処理部２２０は、生成された結果データなどの各種データを中継主体である第１デバイスを介して、第２デバイスに出力して提供できる。
【００５１】
第３デバイス２００によって共有機能が遂行された結果データは、第２デバイスが実行できるデータフォーマットに変換され、第２デバイスに伝えられることが望ましい。第３デバイス２００での結果データが、第２デバイスで実行できないデータ・フォーマットである場合、第３デバイス２００は、第２デバイスで実行できるデータ・フォーマットに変換し、第１デバイスに出力できる。
【００５２】
第３デバイス２００の機能遂行状態についての情報を、第１デバイスに対して提供することもできる。第２デバイスは、第３デバイス２００の機能遂行状態についての情報を利用し、ユーザ・インターフェースに現在遂行状態についてのお知らせウインドーまたは警告ウインドーを表示できる。
【００５３】
図１及び図２は、別個のデバイスに区別して説明したが、第１デバイスと連結されたデバイスは、外部デバイス機能共有要請デバイス１００及び外部デバイス機能共有提供デバイス２００の機能をいずれも行うことができる。従って、第１デバイスと連結されたデバイスとして、外部デバイス機能共有要請デバイス１００及び外部デバイス機能共有提供デバイス２００のいずれの構成要素も含むデバイスがありうる。
【００５４】
図３は、本発明の一実施形態による複数個のネットワーク網を介して、外部デバイス機能の共有が可能なデバイスのうち、中継デバイスのブロック図を図示している。
【００５５】
一実施形態による中継デバイス３００は、複数ネットワーク網構築制御部３１０及びデバイス機能共有中継部３２０を含む。中継デバイス３００は、前述の複数個のネットワーク網を介して、外部デバイス機能の共有が可能なデバイスを、役割によって区別して指した第１デバイス、第２デバイス及び第３デバイスのうち第１デバイスに該当する。
【００５６】
複数ネットワーク網構築制御部３１０は、それぞれのネットワーク網ごとに少なくとも１つのデバイスと第１デバイス３００とを連結させ、複数個のデバイスと連結された第１デバイス３００の複数個のネットワーク網を構築する。
【００５７】
デバイス機能共有中継部３２０は、第１デバイス３００と、それぞれのネットワーク網を介して連結された第２デバイス及び第３デバイス間の機能共有を中継する。第２デバイスは、第１デバイスを介して、複数ネットワーク網構築制御部３１０によって構築されたネットワーク網のうち、少なくとも１つのデバイスを感知する。デバイス機能共有中継部３２０は、第２デバイス及び第２デバイスによって感知された少なくとも１つのデバイスのうち、第３デバイスとの連動を中継できる。
【００５８】
また、デバイス機能共有中継部３２０は、第２デバイスが第３デバイスの機能を活用できるように中継する。例えば、第２デバイス及び第３デバイスのデータ交換のために、第１ネットワーク網を介した第１デバイス３００と第２デバイスとの通信と、第２ネットワーク網を介した第１デバイス３００と第３デバイスとの通信を連結することができる。
【００５９】
中継デバイス３００の他の実施形態は、第２デバイスから外部ネットワーク網のデバイスとの連動及び機能共有の要請がある場合に、他のネットワーク網を介して第１デバイス３００と連結された全てのデバイスを、第２デバイスに連結させられ、第２デバイスが探す特定機能のデバイスだけを、第２デバイスに連結させることもできる。
【００６０】
また、第３デバイスの機能遂行の結果データが、第２デバイスで認識できないデータ・フォーマットである場合、第１デバイス３００は、第２デバイスで認識できるデータ・フォーマットに変換することもできる。
【００６１】
一実施形態による複数個のネットワーク網の複数個のデバイスのうち、第１デバイス３００、第２デバイス１００、第３デバイス２００は、中継デバイス３００を中心として、外部デバイスに対して機能共有を要請するデバイス１００と、デバイス間の共有機能を行うデバイス２００との機能共有が可能である。
【００６２】
特に、外部デバイスに対して機能共有を要請するデバイス１００、及びデバイス間の共有機能を行うデバイス２００は、中継デバイス３００とそれぞれ異種ネットワーク網を介して連結されている場合、外部デバイスに対して機能共有を要請するデバイス１００と、デバイス間の共有機能を行うデバイス２００との直接的なネットワーキングが不可能である。従って、中継デバイス３００を介した、外部デバイスに対して機能共有を要請するデバイス１００と、デバイス間の共有機能を行うデバイス２００との機能共有は、非常に有用である。
【００６３】
これにより、複合ネットワーク網を介して相互連結可能なデバイスを拡張することによって、ネットワーキング方式が異なり、相互連結できなかったデバイス間の連動が可能になるので、ユーザが連動して使用できるデバイスが多様になる。また、現在のデバイスでは直接的にアクセスできないが、中継デバイスを介してアクセスできる異種ネットワーク網に属したデバイスによって遂行可能であるが、現在のデバイスで全く利用できなかった所定機能がある場合、現在のデバイスが中継デバイスを経て異種ネットワーク網のデバイスの所定機能を活用できる。
【００６４】
図４は、本発明の一実施形態によって、中継デバイスを中心とする複数個のデバイス間に構築された複数個のネットワーク網を図示している。
【００６５】
携帯電話４１０は、第１ネットワーク網４２０を介して、モバイルＭＰ３プレイヤ４２５と連結され、第２ネットワーク網４３０を介して、デジタルカメラ４３５と連結され、第３ネットワーク網４４０を介して、インターネット４４５と連結されている。モバイルＭＰ３プレイヤ４２５及びデジタルカメラ４３５は、それぞれ無線通信が可能なデバイスであり、第１ネットワーク網４２０及び第２ネットワーク網４３０それぞれは、近距離ネットワーク方式により、第３ネットワーク網４４０は、長距離ネットワーク方式によることが可能である。
【００６６】
近距離ネットワーク方式によるネットワーク網を介した無線通信が可能なモバイルＭＰ３プレイヤ４２５及びデジタルカメラ４３５は、長距離ネットワーク方式によるネットワーク網を介したインターネット４４５との直接的な連結が不可能である。また、モバイルＭＰ３プレイヤ４２５及びデジタルカメラ４３５は、それぞれ携帯電話４１０と近距離ネットワーク方式による無線通信が可能であるが、第１ネットワーク網４２０及び第２ネットワーク網４３０が、異種ネットワーク方式である場合、モバイルＭＰ３プレイヤ４２５及びデジタルカメラ４３５間の直接的な連結は不可能である。
【００６７】
従って、一実施形態による、複数個のネットワーク網の複数個のデバイスのうち、外部デバイスに対して機能共有を要請するデバイス１００、デバイス間の共有機能を行うデバイス２００及び中継デバイス３００を、図４の複合ネットワーク網４００に導入する場合、携帯電話４１０は、中継デバイス３００の役割を行うことができ、モバイルＭＰ３プレイヤ４２５及びデジタルカメラ４３５は、それぞれ外部デバイスに対して機能共有を要請するデバイス１００、またはデバイス間の共有機能を行うデバイス２００の役割を行うことができる。
【００６８】
図４の複合ネットワーク網４００は、一実施形態であるだけであるので、携帯電話４１０が必ずしも他のデバイス間の機能共有のための中継役割のみを行うわけではない。携帯電話４１０が、他の中継デバイスと、他のネットワーク網を介して連結されている場合、他の中継デバイスを介して、さらに他の外部デバイスとの機能を共有することもできる。
【００６９】
図５Ａ及び図５Ｂは、本発明の一実施形態による中継デバイスの動作を図示している。
【００７０】
携帯電話４１０が中継デバイス１００の役割を遂行し、モバイルＭＰ３プレイヤ４２５が第２デバイスであって、携帯電話４１０を介して外部ネットワーク網のデジタルカメラ４３５を感知した場合、携帯電話４１０を介した、モバイルＭＰ３プレイヤ４２５とデジタルカメラ４３５とが連動が可能である。
【００７１】
モバイルＭＰ３プレイヤ４２５によって感知された全てのデバイスと常に連動されていることも可能であるが、演算処理量及びネットワーク通信量に大きい負担にかけることになるので、携帯電話４１０は、モバイルＭＰ３プレイヤ４２５が所望する時点で、デジタルカメラ４３５との連動を中継することができる。
【００７２】
また、モバイルＭＰ３プレイヤ４２５が第２デバイスであって、携帯電話４１０を介して外部ネットワーク網のデバイスを感知する動作も、ユーザが制御できる。特に、携帯電話４１０がユーザが所望する機能を行うことができる外部デバイスを検索し、検索された外部デバイスだけをモバイルＭＰ３プレイヤ４２５が感知するようにすることもできる。
【００７３】
携帯電話４１０は、ユーザが、デバイス間の機能共有中継を直接制御できるように、デバイス間機能共有の中継メニューを、ユーザ・インターフェースとして提供できる。
【００７４】
第１中継メニュー５１０は、モバイルＭＰ３プレイヤ４２５によってすでに感知されているデジタルカメラ４３５との連動を中継させるユーザ説明メニューであり、第２中継メニュー５２０は、モバイルＭＰ３プレイヤ４２５が、「写真撮影機能」を行うことができるデバイスとの連動を所望する場合、携帯電話４１０が複合ネットワーク網４００のうち、「写真撮影機能」を行うことができるデバイスを検索するか否かを、ユーザが設定するためのメニューである。
【００７５】
図５Ａ及び図５Ｂのデバイス間機能共有の中継メニューは、説明上での便宜のための実施形態であるだけなので、携帯電話４１０は、ユーザ・インターフェースのための多様な中継メニューを提供できる。
【００７６】
図６Ａ、図６Ｂ、図６Ｃ及び図６Ｄは、本発明の一実施形態によるデバイス機能共有の１つの活用例を図示している。
【００７７】
モバイルＭＰ３プレイヤ４２５は、携帯電話４１０と近距離ネットワーキングが可能なデバイスである、音源ファイルを再生して映像ファイルをレンダリングできる。特に、音源ファイルに対応する映像ファイルが保存されている場合、モバイルＭＰ３プレイヤ４２５は、音源ファイルを再生しつつ、当該映像ファイルをバックグラウンド映像として図示できる。
【００７８】
モバイルＭＰ３プレイヤ４２５の再生画面６１０の場合には、「ｔｒａｃｋ １」音楽は、再生中であることを表示しているが、当該アルバムジャケットの映像ファイルは、モバイルＭＰ３プレイヤ４２５に保存されておらず、アルバムジャケット映像を図示していない。また、モバイルＭＰ３プレイヤ４２５は、ユーザ・インターフェースには、アルバムジャケットのための映像ファイルの検索及びダウンロードに係わるメニューがない。
【００７９】
モバイルＭＰ３プレイヤ４２５は、第１ネットワーク網４２０を介して、携帯電話４１０と連結されている。携帯電話４１０は、第３ネットワーク網４４０を介して、インターネット４４５と連結されている。
【００８０】
第１ネットワーク網４２０は、近距離ネットワーク網であり、第３ネットワーク網４４０は、長距離ネットワーク網であるので、近距離ネットワーク網を介して、携帯電話４１０と連結されたモバイルＭＰ３プレイヤ４２５と、長距離ネットワーク網を介して、携帯電話４１０と連結されたインターネット４４５との直接的なネットワーク連結は不可能である。
【００８１】
ただし、携帯電話４１０を介してｍモバイルＭＰ３プレイヤ４２５がインターネット４４５を感知して相互連動されうる。これにより、モバイルＭＰ３プレイヤ４２５は、インターネット４４５からインターネットサービス提供者が提供する検索サービス及びダウンロードサービスを利用できる。
【００８２】
また、モバイルＭＰ３プレイヤ４２５は、本来ユーザ・インターフェースに含まれていないメニューであるが、インターネット４４５との連動によって、インターネット４４５を利用して各種機能を選択するためのメニューを新しく生成し、ユーザ・インターフェースに図示できる。例えば、モバイルＭＰ３プレイヤ４２５は、インターネットサービス提供者が提供する検索サービス及びダウンロードサービスを利用するためのメニュー６２０をユーザ・インターフェースに新しく追加し、ユーザをしてインターネット４４５を利用した映像ファイル検索及びダウンロード機能を選択させることが可能である。
【００８３】
ユーザが、インターネット４４５を利用した映像ファイル検索及びダウンロード機能を選択すれば、モバイルＭＰ３プレイヤ４２５は、携帯電話４１０を介して、インターネット４４５に対して、映像ファイル検索及びダウンロード機能を実行するように要請できる。インターネット４４５を利用して、映像ファイルのダウンロードが完了するならば、携帯電話４１０を介して、モバイルＭＰ３プレイヤ４２５にダウンロードされた映像ファイルが伝送され、モバイルＭＰ３プレイヤ４２５は、ユーザ・インターフェース上に、外部デバイス共有機能の完了を知らせるお知らせウインドー６３０を図示できる。
【００８４】
これにより、モバイルＭＰ３プレイヤ４２５は、「ｔｒａｃｋ １」音楽を再生しつつ、インターネット４４５を利用してダウンロードされて保存したアルバムジャケット映像６４０を、バックグラウンド映像として図示できる。
【００８５】
図７Ａ、図７Ｂ、図７Ｃ及び図７Ｄは、本発明の一実施形態によるデバイス機能共有の他の活用例を図示する。
【００８６】
ポータブル・マルチメディア・プレイヤ（ＰＭＰ）７００は、携帯電話４１０と近距離ネットワーキングが可能なデバイスであり、動映像ファイルを再生できる。ただし、ポータブル・マルチメディア・プレイヤ７００は、拡張子が「ｍｐｇ」である動映像ファイルを認識できない。従って、ポータブル・マルチメディア・プレイヤ７００は、拡張子が「ｍｐｇ」である動映像ファイルに対する再生命令が入力される場合、再生できないファイル形式であることを知らせる警告ウインドー７１０を表示する。
【００８７】
ポータブル・マルチメディア・プレイヤ７００は、動映像ファイルのトランスコーディング機能は有していないので、ユーザ・インターフェースに動映像トランスコーディングに係わるメニューを図示しない。
【００８８】
ポータブル・マルチメディア・プレイヤ７００は、第１近距離ネットワーク網を介して、携帯電話４１０と連結されている。携帯電話４１０は、第２近距離ネットワーク網を介して、トランスコーディング・デバイス７２０と連結されている。
【００８９】
第１近距離ネットワーク網及び第２近距離ネットワーク網は、互いに異なるネットワーク方式によっているので、第１近距離ネットワーク網を介して、携帯電話４１０と連結されたポータブル・マルチメディア・プレイヤ７００と、第２近距離ネットワーク網を介して、携帯電話４１０と連結されたトランスコーディング・デバイス７２０との直接的なネットワーク連結は不可能である。
【００９０】
ただし、携帯電話４１０を介して、ポータブル・マルチメディア・プレイヤ７００がトランスコーディング・デバイス７２０を感知し、相互連動されうる。これによって、ポータブル・マルチメディア・プレイヤ７００は、トランスコーディング・デバイス７２０のトランスコーディング機能を共有できる。
【００９１】
また、ポータブル・マルチメディア・プレイヤ７００は、本来ユーザ・インターフェースに含まれていないメニューであるが、トランスコーディング・デバイス７２０との連動によって、新たに行うことができるトランスコーディング・デバイス７２０の機能を選択するためのメニューを新たに生成し、ユーザ・インターフェースに図示できる。
【００９２】
例えば、ポータブル・マルチメディア・プレイヤ７００は、トランスコーディング・デバイス７２０を利用した動映像トランスコーディング・メニュー７１２をユーザ・インターフェースに新たに追加し、ユーザをしてトランスコーディング・デバイス７２０を利用した動映像トランスコーディング機能を選択されられる。
【００９３】
ユーザがトランスコーディング・デバイス７２０を利用した動映像トランスコーディング機能を選択すれば、ポータブル・マルチメディア・プレイヤ７００は、携帯電話４１０を介して、トランスコーディング・デバイス７２０に対して動映像トランスコーディング機能を実行するように要請できる。トランスコーディング・デバイス７２０による動映像トランスコーディング機能が完了するならば、携帯電話４１０を介して、ポータブル・マルチメディア・プレイヤ７００にトランスコーディングされた動映像ファイルが伝送され、ポータブル・マルチメディア・プレイヤ７００は、ユーザ・インターフェース上に、外部デバイス共有機能の完了を知らせるお知らせウインドー７１４を図示できる。
【００９４】
これにより、ポータブル・マルチメディア・プレイヤ７００は、再生可能なデータ・フォーマットである「ＴＲＡＮＳＦＯＲＭＥＲ．ａｖｉ」動映像ファイルを獲得して再生できる（７１６）。
【００９５】
以上、図６Ａ、図６Ｂ、図６Ｃ及び図６Ｄを参照しつつ、携帯電話４１０を介したモバイルＭＰ３プレイヤ４２５及びインターネット４４５が連結される実施形態について述べ、図７Ａ、図７Ｂ、図７Ｃ及び図７Ｄを参照しつつ、携帯電話４１０を介したポータブル・マルチメディア・プレイヤ７００及びトランスコーディング機器７２０が連結される実施形態について述べた。
【００９６】
該実施形態は、本発明の理解のための実施形態に過ぎず、一実施形態による第１デバイス、第２デバイス、第３デバイスは、多様な電子機器に適用されうる。例えば、第１デバイスとして、複合ネットワーク網に対する専用中継デバイスが使われ、第２デバイスであるポータブル・モバイル・プレイヤ７００が第１デバイスを経て、第３デバイスであるデジタルカメラに連動されるならば、デジタルカメラの写真撮影機能、写真編集機能、動映像撮影機能などを活用できる。
【００９７】
また、ポータブル・モバイル・プレイヤ７００が、第１デバイスを経てインターネットと連動されるならば、ポータブル・モバイル・プレイヤ７００が、インターネットを利用した画面キャプチャ機能、歌詞検索機能、ショッピング機能などを活用できる。ポータブル・モバイル・プレイヤ７００が、第１デバイスを経てデジタルＴＶ（television）またはＰＶＲ（personal video recorder）と連動されるならば、ポータブル・モバイル・プレイヤ７００が、第１デバイスを経てデジタルＴＶまたはＰＶＲの現在放送プログラムの録画及び既存録画放送の再生を行うことができる。
【００９８】
また、ポータブル・モバイル・プレイヤ７００が、第１デバイスを経て他の携帯電話と連結されうる。ポータブル・モバイル・プレイヤ７００が、第１デバイスを経て他の携帯電話に電話通話を行ったり、携帯電話に搭載されたカメラ機能を利用することもできる。
【００９９】
図８は、本発明の一実施形態による複数個のネットワーク網を介したデバイス機能共有方法のうち、外部デバイスに対して機能共有を要請する方法のフローチャートを図示している。
【０１００】
段階８１０で、複数個のネットワーク網を経て複数個のデバイスと連結された第１デバイスを介して、第２デバイスによって複数個のデバイスのうち少なくとも１つのデバイスが感知される。
【０１０１】
第２デバイスによって感知されるデバイスは、第１デバイス及び第２デバイスが連結されたネットワーク網と異なるネットワーク網でありうる。第２デバイスは、第１デバイスと連結された全てのデバイスを感知することができ、第２デバイスが所望する機能を行うことができるデバイスを検索し、選択的に感知することもできる。
【０１０２】
段階８２０で、第１デバイスを介して、第２デバイス及び感知された少なくとも１つのデバイスのうち第３デバイスが連動される。第１デバイスによって、第２デバイス及び第３デバイス間の連動及び連結による全ての情報交換が中継されうる。
【０１０３】
段階８３０で、第１デバイスを介して、第２デバイスが第３デバイスの機能を活用する。第２デバイスは、自ら遂行できないが、第３デバイスが行うことができる機能を、自ら第３デバイスが行うように要請し、第３デバイスの遂行結果、生成されたデータが第１デバイスを経て第２デバイスに伝送されうる。第２デバイスは、外部デバイスを利用した共有機能を行うためのユーザ・インターフェースメニューを新たに生成できる。
【０１０４】
図９は、本発明の一実施形態による複数個のネットワーク網を介したデバイス機能共有方法のうち、デバイス間の共有機能を行う方法のフローチャートを図示する。
【０１０５】
段階９１０で、複数個のネットワーク網を経て複数個のデバイスと連結された第１デバイスを介して、少なくとも１つのデバイスを感知した第２デバイスから、少なくとも１つのデバイスのうち第３デバイスが連動要請が入力される。
【０１０６】
第１デバイスを介して連結可能な全てのデバイスに対して、第２デバイスとの連動が要請され、制限された環境では、第１デバイスを介して、第２デバイスが所望する機能を行うことができるデバイスに対してのみ、第２デバイスとの連動が要請できる。第１デバイスまたは第２デバイスから、第３デバイスが遂行可能な機能についての情報を提供することを要請されもする。
【０１０７】
段階９２０で、第２デバイスと第３デバイスとが第１デバイスを介して連動される。
【０１０８】
段階９３０で、第１デバイスを介して、第２デバイスから受信された第３デバイスの所定機能の活用要請によって、所定機能が行われる。第３デバイスの機能遂行状態についての情報を、第１デバイスに対して提供することもできる。
【０１０９】
図１０は、本発明の一実施形態による本発明の一実施形態による複数個のネットワーク網を介したデバイス機能共有方法のうち、中継方法のフローチャートを図示する。
【０１１０】
段階１０１０で、それぞれのネットワーク網ごとに、少なくとも１つのデバイスと第１デバイスとが連結され、複数個のデバイスと連結された第１デバイスの複数個のネットワーク網が構築される。
【０１１１】
段階１０２０で、第１デバイスを介して、複数個のデバイスのうち第２デバイスが、複数個のデバイスのうち少なくとも１つのデバイスを感知し、第２デバイス及び少なくとも１つのデバイスのうち第３デバイスと連動し、第２デバイスが第３デバイスの機能を活用するデバイス間機能共有過程が中継される。
【０１１２】
複合ネットワーク網を介して相互連結できなかったデバイス間の連動が可能になるので、ユーザが連動して使用できるデバイスが多様になる。また、現在のデバイスで全く利用できなかった所定機能の場合にも、現在のデバイスが、中継デバイスを経て異種ネットワーク網のデバイスの所定機能を活用できる。デバイス間機能共有の状況によって、流動的にユーザ・インターフェースを変更できるので、ユーザの便宜性が保証されうる。異種ネットワーク上のデバイス間の連結が可能であるので、ネットワーク方式が変換されたような結果が誘導されうる。
【０１１３】
一方、前述の本発明の実施形態は、コンピュータで実行できるプログラムで作成可能であり、コンピュータで読み取り可能な記録媒体を利用し、前記プログラムを動作させる汎用デジタル・コンピュータで具現されうる。前記コンピュータで読み取り可能な記録媒体は、マグネチック記録媒体（例えば、ＲＯＭ（read-only memory）、フロッピー（登録商標）ディスク、ハードディスクなど）、光学的判読媒体（例えば、ＣＤ−ＲＯＭ、ＤＶＤなど）及びキャリアウェーブ（例えば、インターネットを介した伝送）のような記録媒体を含む。
【０１１４】
以上、本発明についてその望ましい実施形態を中心に述べた。本発明が属する技術分野で当業者であるならば、本発明が本発明の本質的な特性から外れない範囲で変形された形態で具現されうることを理解することができるであろう。従って、開示された実施形態は、限定的な観点ではなくして、説明的な観点から考慮されねばならない。本発明の範囲は、前述の説明ではなくして、特許請求の範囲に示されており、それと同等な範囲内にある全ての差異点は、本発明に含まれたものであると解釈されねばならない。
【符号の説明】
【０１１５】
１００    第２デバイス
１１０    外部デバイス感知制御部
１２０    外部デバイス連動制御部
１３０    外部デバイス機能活用制御部
２００    第３デバイス
２１０    デバイス連動要請処理部
２２０    外部デバイス機能活用要請処理部
３００    第１デバイス
３１０    複数ネットワーク網構築制御部
３２０    デバイス機能共有中継部
４００    複合ネットワーク網
４１０    携帯電話
４２０    第１ネットワーク網
４３０    第２ネットワーク網
４４０    第３ネットワーク網
４２５    モバイルＭＰ３プレイヤ
４３５    デジタルカメラ
４４５    インターネット
５１０    第１中継メニュー
５２０    第２中継メニュー
６１０    再生画面
６２０    メニュー
６３０，７１４    お知らせウインドー
６４０    アルバムジャケット映像
７００    ポータブル・マルチメディア・プレイヤ
７１０    警告ウインドー
７１２    トランスコーディング・メニュー
７２０    トランスコーディング・デバイス
【図１】
0005916284.tif 000002
【図２】
0005916284.tif 000003
【図３】
0005916284.tif 000004
【図４】
0005916284.tif 000005
【図５Ａ】
0005916284.tif 000006
【図５Ｂ】
0005916284.tif 000007
【図６Ａ】
0005916284.tif 000008
【図６Ｂ】
0005916284.tif 000009
【図６Ｃ】
0005916284.tif 000010
【図６Ｄ】
0005916284.tif 000011
【図７Ａ】
0005916284.tif 000012
【図７Ｂ】
0005916284.tif 000013
【図７Ｃ】
0005916284.tif 000014
【図７Ｄ】
0005916284.tif 000015
【図８】
0005916284.tif 000016
【図９】
0005916284.tif 000017
【図１０】
0005916284.tif 000018